(57)【要約】【課題】自動運転モードを有する車両の操作が許容される操作範囲を決定する車両制御装置及び車両制御方法を提供する。【解決手段】車両制御装置１０は、車両の操作が許容される操作範囲が異なる複数の運転モードを有する。複数の運転モードは、少なくとも自動運転モードを有する。車両制御装置１０は、運転席に着座した搭乗者が有する運転資格情報に基づいて、複数の運転モードの内の何れか１つの運転モードにおいて車両が操作されることを決定する処理部を備える。【選択図】図１
2018124864.tif 000002
【特許請求の範囲】
【請求項１】
車両の操作が許容される操作範囲が異なる複数の運転モードを有する車両制御装置であって、
前記複数の運転モードは、少なくとも自動運転モードを有し、
運転席に着座した搭乗者が有する運転資格情報に基づいて、前記複数の運転モードの内の何れか１つの運転モードにおいて車両が操作されることを決定する処理部を備える車両制御装置。
【請求項２】
前記処理部は、前記運転資格情報を、前記搭乗者が有する運転免許証が有する情報に基づいて取得する請求項１に記載の車両制御装置。
【請求項３】
前記処理部は、前記搭乗者が有する運転免許証が有する情報と、前記運転資格情報との対応を記憶した対応表を参照して、前記運転資格情報を取得するとともに、前記対応表を更新可能である、請求項２に記載の車両制御装置。
【請求項４】
前記処理部は、前記運転モードが自動運転モードの時には、前記運転資格情報に基づいて、目的地までの経路を決定する請求項１〜３の何れか一項に記載の車両制御装置。
【請求項５】
前記処理部は、前記運転資格情報と共に、前記搭乗者の年齢に基づいて、前記複数の運転モードの内の何れか１つの運転モードにおいて車両が操作されることを決定する請求項１〜４の何れか一項に記載の車両制御装置。
【請求項６】
車両の運転席に着座した搭乗者が有する運転資格情報に基づいて、少なくとも自動運転モードを有し、車両の操作が許容される操作範囲が異なる複数の運転モードの内の何れか１つの運転モードにおいて車両が操作されることを決定すること、を備える車両制御方法。
【発明の詳細な説明】
【技術分野】
【０００１】
本発明は、車両制御装置及び車両制御方法に関する。
【背景技術】
【０００２】
従来、車両に搭乗する搭乗者が運転操作することなく自動的に運転される自動運転車両が開発されている。
【０００３】
搭乗者の運転操作により操作される手動運転車両では、搭乗者に対して運転免許を保持していることが求められる。搭乗者が所定の運転操作技術を習得していることにより、手動運転車両を安全に操作できると考えられるためである。
【０００４】
また、自動運転車両は、自動運転により動作する自動運転モードとともに、手動運転により動作する手動運転モードを有する場合がある。自分の操作で車両を操る手動運転を楽しみたい搭乗者もいるからである。
【０００５】
例えば、自動運転車両に搭乗する搭乗者に対しても、運転免許証を保持することを求めることが提案されている（特許文献１参照）。
【先行技術文献】
【特許文献】
【０００６】
【特許文献１】特開２０１６−１３００９１号公報
【発明の概要】
【発明が解決しようとする課題】
【０００７】
しかし、運転免許を所持しない搭乗者が、自動運転車両に搭乗することも予想される。
【０００８】
例えば、公共の交通機関が乏しい過疎地域等では、自動運転車両の利用が期待されている。このような地域において、自動運転車両の利用を希望するものは、運転免許を有していない場合もある。
【０００９】
自動運転車両は、搭乗者が運転免許を所持していなくても、搭乗者が目的地を入力すれば、目的地までの運転を自動で行う機能を有する。
【００１０】
ただし、搭乗者が運転免許を有していない場合には、自動運転車両に対して、手動運転を許容しないことも求められる。
【００１１】
本明細書では、搭乗者に対して、自動運転モードを有する車両の操作が許容される操作範囲を決定する車両制御装置及び車両制御方法を提供することを課題とする。
【課題を解決するための手段】
【００１２】
本明細書に開示する車両制御装置によれば、車両の操作が許容される操作範囲が異なる複数の運転モードを有する車両制御装置であって、上記複数の運転モードは、少なくとも自動運転モードを有し、運転席に着座した搭乗者が有する運転資格情報に基づいて、上記複数の運転モードの内の何れか１つの運転モードにおいて車両が操作されることを決定する処理部を備える。
【００１３】
また、本明細書に開示する車両制御方法によれば、車両の運転席に着座した搭乗者が有する運転資格情報に基づいて、少なくとも自動運転モードを有し、車両の操作が許容される操作範囲が異なる複数の運転モードの内の何れか１つの運転モードにおいて車両が操作されることを決定すること、を備える。
【発明の効果】
【００１４】
上述した本明細書に開示する車両制御装置によれば、搭乗者が有する運転資格情報に基づいて、自動運転モードを有する車両の操作が許容される操作範囲を決定できる。
【００１５】
また、上述した本明細書に開示する車両制御方法によれば、搭乗者が有する運転資格情報に基づいて、自動運転モードを有する車両の操作が許容される操作範囲を決定できる。
【図面の簡単な説明】
【００１６】
【図１】本明細書に開示する車両制御システムの一実施形態を示す図である。
【図２】（Ａ）は、車両制御装置の処理部の機能ブロック図であり、（Ｂ）は記憶部を示す図である。
【図３】車両制御装置の動作を説明するフローチャート（その１）である。
【図４】車載装置の表示部に表示される画面を示す図である。
【図５】車両制御装置の動作を説明するフローチャート（その２）である。
【図６】車両制御装置の動作を説明するフローチャート（その３）である。
【図７】車両制御装置の動作を説明するフローチャート（その４）である。
【発明を実施するための形態】
【００１７】
以下、本明細書で開示する車両制御システムの好ましい一実施形態を、図を参照して説明する。但し、本発明の技術範囲はそれらの実施形態に限定されず、特許請求の範囲に記載された発明とその均等物に及ぶものである。
【００１８】
図１は、本明細書に開示する車両制御システムの一実施形態を示す図である。
【００１９】
本明細書の車両制御システム１（以下、単にシステム１ともいう）は、搭乗者が運転操作することなく自動的に運転される自動運転モード、及び搭乗者の運転操作により操作される手動運転モードを有する車両の動作を制御する。本実施形態では、システム１は、４輪を有する車両に搭載される。
【００２０】
自動運転モードでは、車両の操舵、加速、制動を含む主制御系統の操作が自動で行われる。手動運転モードでは、車両の上述した主制御系統の操作は、運転席に着座した搭乗者により行われる。
【００２１】
自動運転モード及び手動運転モードは、車両を運転する搭乗者に対して、車両の操作が許容される操作範囲が異なっている。例えば、自動運転モードでは、搭乗者に対して、目的地の入力操作は許容されるが、車両の操舵、加速、制動を含む主制御系統の操作は許容されない。一方、手動運転モードでは、搭乗者に対して、主制御系統の操作も許容される。
【００２２】
システム１では、車両の運転席に着座する搭乗者が有する運転資格情報に基づいて、運転モードが決定される。車両は、決定された運転モードによって制御可能となる。
【００２３】
システム１は、車両制御装置１０と、運転席着座情報取得部２０と、搭乗者情報取得部３０と、車載装置４０を備える。また、システム１は、運転制御装置６０と、車両状態センサ７０を備える。
【００２４】
車両制御装置１０は、運転席着座情報取得部２０が取得した情報に基づいて、搭乗者が運転席に着座したことを検知する。また、車両制御装置１０は、搭乗者情報取得部３０が取得した搭乗者情報に基づいて、運転席に着座した搭乗者の運転資格情報を認識する。
【００２５】
車両制御装置１０は、認識された運転資格情報に基づいて、運転席に着座した搭乗者（車両を操作する搭乗者）に対して許容される運転モードを決定する。
【００２６】
車両制御装置１０は、車載装置４０を用いて、目的地を入力すると共に、許容される運転モードにおいて許容される、現在から目的地までの経路を探索する。
【００２７】
車両制御装置１０は、運転制御装置６０に対して、車両の運転を制御させる。
【００２８】
車両制御装置１０は、処理部１１と、記憶部１２と、通信部１３を有する。
【００２９】
処理部１１は、一つまたは複数のプロセッサと、周辺回路とを有する。処理部１１は、記憶部１２に予め記憶されている所定のプログラム１２ａに従い、車両制御装置１０の各ハードウェア構成要素の制御及び各種処理を行い、処理中に生じるデータを一時的に保存するために記憶部１２を利用する。
【００３０】
図２（Ａ）は、車両制御装置の処理部の機能ブロック図である。図２（Ｂ）は、記憶部を示す図である。
【００３１】
処理部１１は、運転モード決定部１１ａと、経路決定部１１ｂを有する。
【００３２】
処理部１１が有するこれらの各部は、例えば、処理部１１が有するプロセッサ上で動作するコンピュータプログラムにより実現される機能モジュールである。なお、処理部１１が有するこれらの各部は、それぞれ、別個の回路として、車両制御装置１０に実装されてもよい。各部の説明については後述する。
【００３３】
記憶部１２は、ランダムアクセスメモリ（ＲＡＭ）又はリードオンリーメモリ（ＲＯＭ）等の半導体メモリ又は磁気ディスク又はフラッシュメモリを有していても良い。記憶部１２は、所定のプログラム１２ａを記憶する記憶媒体を読み出し可能なドライブを有していても良い。
【００３４】
記憶部１２は、所定のプログラム１２ａと、後述する免許証情報参照表１２ｂ、顔画像参照表１２ｃ、指紋画像参照表１２ｄ及び端末識別情報表１２ｅ等を記憶している。
【００３５】
通信部１３は、運転席着座情報取得部２０、搭乗者情報取得部３０、車載装置４０及び運転制御装置６０との間で情報の送受信を行う。処理部１１は、通信部１３を用いて受信された情報に基づいて、各種の処理を行う。また、処理部１１は、各種の処理を行った結果を、通信部１３を用いて送信する。
【００３６】
また、通信部１３は、無線通信を用いて、図示しないネットワークを介して、外部と通信可能であってもよい。通信部１３は、送受信を行う通信回路及び通信線又はアンテナを有し得る。
【００３７】
運転席着座情報取得部２０は、車両の運転席の着座状態を示す情報を取得して、着座の有無を示す情報を車両制御装置１０へ送信する。運転席着座情報取得部２０は、運転席荷重センサ２１、シートベルト装着センサ２２、及びカメラ２３を備える。ただし、運転席着座情報取得部２０は、これらの全てのセンサ等を有していなくてもよい。また、運転席着座情報取得部２０は、車両の運転席に搭乗者が着座したことを検知する他の手段を有してもよい。
【００３８】
運転席荷重センサ２１は、車両の運転席に所定の値以上の荷重を検知すると、検知したことを通知する信号を車両制御装置１０へ送信する。
【００３９】
シートベルト装着センサ２２は、車両の運転席に配置されたシートベルトが搭乗者に装着されたことを検知すると、検知したことを通知する信号を車両制御装置１０へ送信する。
【００４０】
カメラ２３は、車両の運転席を含む画像を撮影して、撮影した画像を車両制御装置１０へ送信する。
【００４１】
搭乗者情報取得部３０は、車両の運転席に着座した搭乗者を認識するための搭乗者情報を取得して、取得した搭乗者情報を車両制御装置１０へ送信する。搭乗者情報は、搭乗者が有する運転資格情報を決定するために用いられる。搭乗者情報として、例えば、運転免許証が有する情報、搭乗者の顔の画像、搭乗者の指紋等の生体情報等が挙げられる。具体的には、搭乗者情報取得部３０は、運転免許証リーダ３１と、カメラ３２と、指紋センサ３３を備える。ただし、搭乗者情報取得部３０は、これらの全てのセンサ等を有していなくてもよい。また、搭乗者情報取得部３０は、搭乗者情報を取得する他の手段を有してもよい。
【００４２】
運転免許証リーダ３１は、車両の運転席に着座した搭乗者のＩＣカード型の運転免許証が有する情報を取得して、取得した情報を搭乗者情報として車両制御装置１０へ送信する。運転免許証リーダ３１は、例えば、車両の運転席の前方のダッシュボード下方に配置される。車両の運転席に着座した搭乗者は、携帯しているＩＣカード型の運転免許証を、運転免許証リーダ３１の近傍にかざすか又は接触させて、運転免許証が有する情報を読み取らせる。運転免許証リーダ３１として、例えば、ＲＦＩＤリーダを用いることができる。
【００４３】
運転免許証が有する情報としては、例えば、普通自動車一種免許（マニュアル、限定なし）、普通自動車一種免許（オートマチック限定）、普通自動二輪免許等の運転免許資格及び年齢等がある。
【００４４】
カメラ３２は、車両の運転席を含む画像を撮影して、撮影した画像を搭乗者情報として車両制御装置１０へ送信する。カメラ３２は、カメラ２３と同じであってもよい。
【００４５】
指紋センサ３３は、車両の運転席に着座した搭乗者の指の指紋の画像を取得して、取得した画像を搭乗者情報として車両制御装置１０へ送信する。指紋センサ３３としては、例えば、静電容量タイプを用いることができる。車両の運転席に着座した搭乗者は、例えば、指の指紋を指紋センサ３３に読み取らせる。
【００４６】
車載装置４０は、処理部４１と、記憶部４２と、表示部４３と、操作部４４と、音響出力部４５と、通信部４６を有する。車載装置４０は、車両制御装置１０により制御されて動作可能である。
【００４７】
処理部４１は、一つまたは複数のプロセッサと、周辺回路とを有する。処理部４１は、記憶部４２に予め記憶されている所定のプログラムに従い、車載装置４０の各ハードウェア構成要素の制御及び各種処理を行い、処理中に生じるデータを一時的に保存するために記憶部４２を利用する。
【００４８】
記憶部４２は、ランダムアクセスメモリ（ＲＡＭ）若しくはリードオンリーメモリ（ＲＯＭ）等の半導体メモリ、又は磁気ディスク若しくはフラッシュメモリ等の不揮発性メモリを有していてもよい。また、記憶部４２は、所定のプログラムを記憶する非一時的な記憶媒体を読み出し可能なドライブとして、ディスクドライブを用いてもよい。
【００４９】
表示部４３は、センターコンソールに配置されており、処理部４１に制御されて、車載装置４０の動作に伴う各種の情報を表示可能である。表示部４３として、例えば、液晶ディスプレイを用いることができる。また、表示部４３は、車両制御装置１０の処理においても、情報を表示するために使用される。
【００５０】
操作部４４は、搭乗者により操作されて、操作を入力可能である。車載装置４０は、操作部４４として、例えば表示部４３の画面上に配置されるタッチパネルを用いることができる。また、操作部４４は、車両制御装置１０の処理においても、操作を入力するために使用される。
【００５１】
音響出力部４５は、図示しないスピーカを有しており、処理部４１に制御されて、音響を出力する。音響出力部４５は、車両制御装置１０の処理においても、音響を出力するために使用される。
【００５２】
通信部４６は、車両制御装置１０、及び車両に搭載されている車内のネットワーク（Ｃｏｎｔｒｏｌｌｅｒ  Ａｒｅａ  Ｎｅｔｗｏｒｋ：ＣＡＮに準拠）と通信する。また、通信部４６は、無線通信を用いて、図示しないネットワークを介して、外部と通信可能であってもよい。通信部４６は、送受信を行う通信回路及び通信線又はアンテナを有し得る。なお、通信部４６は、通信部１３と共用されてもよい。
【００５３】
また、車載装置４０には、車両に搭載されたＧＰＳ情報受信部５０から、車両の位置を示す位置情報が入力される。ＧＰＳ情報受信部５０は、ＧＰＳ人工衛星が送信するＧＰＳ電波を受信して車両の位置を求め、車両の位置情報を車載装置４０に出力する。
【００５４】
処理部４１は、ナビゲーション機能を有する。ナビゲーション機能は、記憶部４２に記憶されるプログラムの実行により、同じく記憶部４２に記憶される地図データを用いて実現される機能モジュールであり、ＧＰＳ情報受信部５０から取得した車両の現在の位置に基づいて、目的地までの経路案内を行う。処理部４１は、記憶部４２に記憶された地図データと車両の位置とに基づき、車両の周辺の地図を示す地図画像及び音声案内情報を生成する。また、処理部４１は、搭乗者により目的地が設定された場合には、現時点の車両の位置から目的地までの経路を導出し、当該経路を地図画像上に重畳する。処理部４１が生成した地図画像は、表示部４３に表示される。
【００５５】
記憶部４２には、記憶されている地図データ上の道路と、自動運転による走行が可能な道路情報と、自動運転による走行が許可されていない道路情報とが関連づけられて記憶されている。例えば、高速道路は、自動運転による走行が許可されているが、一般の道路は、自動運転による走行が許可されていない場合があり得る。
【００５６】
車載装置４０の処理部４１は、車両制御装置１０からの通知に基づいて、現時点の車両の位置から目的地までの経路を生成する。また、処理部４１は、車両制御装置１０からの通知に基づいて、自動運転による走行が可能な道路だけを経由する経路を生成可能である。車載装置４０の処理部４１は、複数の経路を導出して、搭乗者に選択された一の経路を経路として決定してもよい。
【００５７】
また、処理部４１は、搭乗者により指定された地点又は道路を経由するように経路を導出してもよい。
【００５８】
運転制御装置６０は、車両制御装置１０に制御されて、車両の運転を、自動運転モードと手動運転モードとに切り替えて、車両の動作を制御する。運転制御装置６０は、自動運転制御部６１及び手動運転制御部６２を有する。運転制御装置６０は、自動運転モードでは、自動運転制御部６１が生成する制御信号を、後述する操舵装置７１、駆動装置７２及び制動装置７３へ出力する。また、運転制御装置６０は、手動運転モードでは、搭乗者による操作に基づいて、操舵装置７１、駆動装置７２及び制動装置７３へ出力する信号を生成する。
【００５９】
車両状態センサ７０は、例えば、車速センサ、舵角センサ、横加速度センサ、ヨーレートセンサ、車輪速センサ及びエンジンの回転数センサ等の車両の状態を検出するセンサを有する。また、車両状態センサ７０は、例えば、カメラ、レーダ等の車両の周囲の状況を検出するセンサを有する。車両状態センサ７０が検出した情報は、運転制御装置６０に出力される。
【００６０】
自動運転制御部６１は、車両状態センサ７０が検出した車速、横加速度、ヨーレート、カメラが撮影した画像、レーダにより測定された反射波等の情報に基づいて、後述する操舵装置７１、駆動装置７２及び制動装置７３を制御して、自動運転による車両の動作を制御する。また、自動運転制御部６１には、車載装置４０が生成した経路情報が、車両制御装置１０を介して入力されて、進行方向が決定される。
【００６１】
手動運転制御部６２は、図示しないステアリング、アクセルペダル又はブレーキペダル等に対する、運転席に着座した搭乗者による操作に基づき、後述する操舵装置７１、駆動装置７２及び制動装置７３を制御して、手動運転による車両の動作を制御する。
【００６２】
操舵装置７１は、自動運転制御部６１又は手動運転制御部６２の制御信号に基づいて車両の進行方向を決定する。
【００６３】
駆動装置７２は、自動運転制御部６１又は手動運転制御部６２の制御信号に基づいて車両の駆動力を生成して、車両を加速する。駆動装置７２は、例えば、内燃機関であるエンジン又は電気モータを有する。
【００６４】
制動装置７３は、自動運転制御部６１又は手動運転制御部６２の制御信号に基づいて車両の制動力を生成する。制動装置７３は、例えば、ブレーキディスク、ブレーキキャリパ及び油圧機構を有する。
【００６５】
システム１における車両制御装置１０は、搭載されている車両に対して許可可能な運転モードとして、手動ＭＴ運転モードと、手動ＡＴ運転モードと、速度及び経路選択自動運転モードと、完全自動運転モードを有する。
【００６６】
手動ＭＴ運転モードは、手動運転モードの１つである。手動ＭＴ運転モードでは、搭乗者は、図示しないシフトレバー及びクラッチペダルの操作により、ギアチェンジを自ら操作して車両を手動運転する運転モードである。手動ＭＴ運転モードは、いわゆるマニュアル車の運転モードである。
【００６７】
手動ＡＴ運転モードは、手動運転モードの他の１つである。手動ＡＴ運転モードでは、ギアチェンジの操作は手動運転制御部６２により制御されて、搭乗者が、車両を手動運転する運転モードである。手動ＡＴ運転モードは、いわゆるオートマチック自動車の運転モードである。
【００６８】
速度及び経路選択自動運転モードは、自動運転モードの１つである。速度及び経路選択自動運転モードでは、搭乗者に対して、目的地、経路の選択及び速度の設定操作が許容されて、車両を自動運転する運転モードである。ここで、速度選択は、制限速度以下の範囲において、車両が走行する速度を指定することを意味する。経路選択は、経路を導出する際に、搭乗者により指定された地点又は道路を経由するように経路を導出することを意味する。
【００６９】
完全自動運転モードは、自動運転モードの他の１つである。完全自動運転モードでは、搭乗者に対して、目的地の設定操作のみが許容されて、車両を自動運転する運転モードである。
【００７０】
次に、上述したシステム１の動作について、図面を参照しながら以下に説明する。
【００７１】
図３は、車両制御装置１０が運転モードを決定する処理を説明するフローチャートである。
【００７２】
まず、ステップＳ３０１において、車両制御装置１０の処理部１１の運転モード決定部１１ａは、運転席着座情報取得部２０からの情報に基づいて、車両の運転席に搭乗者が着座したことを検知する。
【００７３】
運転モード決定部１１ａは、運転席荷重センサ２１から送信された信号に基づいて、車両の運転席に搭乗者が着座したことを検知してもよい。
【００７４】
また、運転モード決定部１１ａは、シートベルト装着センサ２２から送信された信号に基づいて、車両の運転席に搭乗者が着座したことを検知し得る。
【００７５】
更に、運転モード決定部１１ａは、カメラ２３から送信された画像に基づいて、車両の運転席に搭乗者が着座したことを検知し得る。例えば、運転モード決定部１１ａは、サポートベクトルマシン又はａｄａＢｏｏｓｔの識別器を用いて画像を解析し、車両の運転席に着座した搭乗者を検知してもよい。
【００７６】
運転モード決定部１１ａは、車両の運転席に搭乗者が着座したことを検知する際には、上述した複数の着座情報を取得する手段の内に１つ又は複数を用いてもよい。複数の手段を用いる場合には、多数決法を用いて、搭乗者が着座したことを検知してもよい。
【００７７】
次に、ステップＳ３０３において、車両の運転席に搭乗者が着座したことを検知した運転モード決定部１１ａは、搭乗者情報取得部３０が取得した搭乗者情報に基づいて、車両の運転席に着座した搭乗者の運転資格情報を認識する。
【００７８】
運転モード決定部１１ａは、運転免許証リーダ３１が取得した運転免許証が有する搭乗者情報に基づいて、運転資格情報を得てもよい。車両制御装置１０の記憶部１２は、運転免許証が有する運転免許資格と、運転資格情報とが関連づけられて登録された免許証情報参照表１２ｂを記憶している。運転モード決定部１１ａは、運転免許証が有する運転免許資格に基づいて、免許証情報参照表１２ｂを参照して、搭乗者の運転資格情報を得る。免許証情報参照表１２ｂに登録されている運転資格情報として、普通自動車一種免許（マニュアル、限定なし）、普通自動車一種免許（オートマチック限定）、普通自動二輪免許等が挙げられる。このように、運転モード決定部１１ａは、公的な資格証である運転免許証に基づいて、自動的に車両の運転席に着座した搭乗者の運転資格情報を決定できる。
【００７９】
運転資格情報が普通自動車一種免許（マニュアル、限定なし）の場合には、運転モードとして、上述した４つの手動ＭＴ運転モード、手動ＡＴ運転モード、速度及び経路選択自動運転モード及び完全自動運転モードの内の何れのモードも搭乗者に対して許容される。
【００８０】
運転資格情報が、普通自動車一種免許（オートマチック限定）の場合には、運転モードとして、上述した４つの運転モードの内、手動ＡＴ運転モード、速度及び経路選択自動運転モード及び完全自動運転モードが搭乗者に対して許容される。
【００８１】
運転資格情報が、普通自動二輪免許の場合には、運転モードとして、上述した４つの運転モードの内、速度及び経路選択自動運転モード及び完全自動運転モードが搭乗者に対して許容される。普通自動二輪免許を有している搭乗者は、例えば、道路には制限速度があること、一方通行の道路では決められた方向にしか走行出来ないこと等の交通規則を把握していると考えられる。そこで、搭乗者に対して、速度及び経路選択の操作が許容される。しかし、普通自動二輪免許では、４輪を有する車両の手動運転は許容されないので、手動運転モードは搭乗者に対して許可されない。
【００８２】
上述した運転資格情報の説明は、後述する顔画像参照表１２ｃ及び指紋画像参照表１２ｄに対しても適宜適用される。
【００８３】
また、運転モード決定部１１ａは、運転免許証リーダ３１が取得した運転免許証が有する搭乗者情報の運転資格情報及び年齢に基づいて、運転資格情報を決定してもよい。例えば、搭乗者の年齢が所定の年以上の場合には、搭乗者が、普通自動車一種免許（マニュアル、限定なし）又は普通自動車一種免許（オートマチック限定）を有していても、搭乗者に対して許容される運転モードを、速度及び経路選択自動運転モード又は完全自動運転モードだけに制限してもよい。安全な車両の走行を確保する観点から、高齢の搭乗者に対しては、手動運転が可能な運転資格情報を有していても、手動運転を許容しないようにしてもよい。
【００８４】
車両の運転席に搭乗者が着座したことを検知した後、所定の時間内に、運転免許証リーダ３１が運転免許証から搭乗者情報を取得できない場合には、運転モード決定部１１ａは、搭乗者が運転免許証を有していないと判断する。即ち、運転モード決定部１１ａは、運転資格情報として、運転資格を有していないと判断する。
【００８５】
運転モード決定部１１ａは、搭乗者が運転資格を有していない場合には、運転モードとして、上述した４つの内、完全自動運転モードを搭乗者に対して許容するか、又は何れの運転モードも許容しないようにしてもよい。何れの運転モードも許容されない搭乗者に対しては、車両の車両を操作することはできない。
【００８６】
上述した運転資格情報と、許容される運転モードとの関係の説明は、他の運転資格情報を決定する方法の説明においても適宜適用される。
【００８７】
また、運転モード決定部１１ａは、カメラ３２から送信された画像に基づいて、搭乗者情報として、車両の運転席に着座した搭乗者の顔の画像を得てもよい。車両制御装置１０の記憶部１２には、顔の画像情報と、運転資格情報とが関連づけられて登録された顔画像参照表１２ｃを有している。運転モード決定部１１ａは、この顔画像参照表１２ｃを参照して、搭乗者情報として取得された搭乗者の顔の画像と関連付けられている運転資格情報を得る。顔画像参照表１２ｃに登録される運転資格情報は、免許証情報参照表１２ｂと同じである。
【００８８】
運転モード決定部１１ａは、例えば、主成分分析を使った固有顔法、線形判別分析法、弾性バンチグラフマッチング法、隠れマルコフモデル法、ニューロン動機づけによるダイナミックリンク照合法等を用いて、搭乗者情報として取得された搭乗者の顔の画像を解析する。
【００８９】
もし、運転モード決定部１１ａが、搭乗者情報として取得された搭乗者の顔の画像に基づいて、運転資格情報を取得できない場合には、運転モード決定部１１ａは、運転資格情報として、運転資格を有していないと判断する。
【００９０】
また、運転モード決定部１１ａは、指紋センサ３３から送信された画像に基づいて、搭乗者情報として、車両の運転席に着座した搭乗者の指の指紋の画像を得てもよい。車両制御装置１０の記憶部１２には、指の指紋の画像情報と、運転資格情報とが関連づけられて登録された指紋画像参照表１２ｄを有している。運転モード決定部１１ａは、この指紋画像参照表１２ｄを参照して、搭乗者情報として取得された搭乗者の指の指紋の画像情報と関連付けられている運転資格情報を得る。
【００９１】
運転モード決定部１１ａは、例えば、パターンマッチング又はマニューシャマッチング等を用いて、搭乗者情報として取得された搭乗者の指の指紋の画像を解析する。
【００９２】
もし、運転モード決定部１１ａが、搭乗者情報として取得された搭乗者の指の指紋の画像に基づいて、運転資格情報を取得できない場合には、運転モード決定部１１ａは、運転資格情報として、運転資格を有していないと判断する。
【００９３】
運転モード決定部１１ａは、運転資格情報を取得する際に、上述した複数の搭乗者情報を取得する手段の内に１つ又は複数を用いてもよい。複数の搭乗者情報を取得する手段を用いる時に、取得された全ての運転資格情報が一致しない場合には、運転資格情報として、運転資格を有していないと判断してもよい。
【００９４】
例えば、運転モード決定部１１ａは、運転免許証リーダ３１が取得した運転免許証が有する情報と、カメラ３２から送信された搭乗者の顔の画像とに基づいて、運転資格情報を決定してもよい。ここで、車両の所有者の子供が、所有者の運転免許証を持ち出して、車両の運転席に着座したとする。運転免許証リーダ３１が取得した搭乗者情報に基づいて得られる運転資格情報と、カメラ３２から送信された搭乗者の顔の画像に基づいて得られる運転資格情報とは一致しない。このように、得られた複数の運転資格情報が一致しない場合、運転モード決定部１１ａは、搭乗者に対して、何れの運転モードも許容しないようにしてもよい。この場合、子供は、車両を操作することはできない。
【００９５】
なお、運転モード決定部１１ａは、運転席着座情報取得部２０から送信される情報に基づいて、車両の運転席に着座していた搭乗者が脱座したことを検知した場合には、ステップＳ３０１及びＳ３０３の処理をあらためて行って、運転資格情報を再度取得することが好ましい。
【００９６】
次に、ステップＳ３０５において、図４に示すように、運転モード決定部１１ａは、車両において選択可能な全ての運転モードを、車載装置４０の表示部４３に表示する。車両の運転席に着座した搭乗者は、車載装置４０の操作部４４を用いて、表示部４３に表示された運転モードの内の何れか１つのモードを選択する。そして、運転モード決定部１１ａは、搭乗者により選択された運転モードを入力する。なお、運転モード決定部１１ａは、搭乗者情報に基づいて、搭乗者に対して許容される運転モードだけを、表示部４３に表示するようにしてもよい。
【００９７】
次に、ステップＳ３０７において、車両制御装置１０の処理部１１の経路決定部１１ｂは、車載装置４０の操作部４４を用いて、運転席に着座した搭乗者が希望する目的地を入力する。
【００９８】
運転席に着座した搭乗者は、車載装置４０の操作部４４を用いて、目的地を入力する。また、速度及び経路選択自動運転モードを選択した搭乗者は、希望する速度又経路を、車載装置４０の操作部４４を用いて入力してもよい。
【００９９】
次に、ステップＳ３０９において、経路決定部１１ｂは、車載装置４０を用いて、現時点の車両の位置から目的地までの経路を導出する。経路決定部１１ｂは、搭乗者により選択された運転モードが、速度及び経路選択自動運転モード又は完全自動運転モードの場合には、自動運転による走行が可能な道路だけを経由して経路を導出することを試みる。もし、自動運転による走行が可能な道路だけを経由した経路を導出できない場合、又は目的地が自動運転による走行が可能な道路に接続していない場合には、自動運転による走行が許容されない道路を含んだ代替経路を導出する。
【０１００】
ここで、運転席に着座した搭乗者は、携帯する高機能携帯端末等の端末等（図示せず）を用いて、希望する目的地を、車両制御装置１０へ入力してもよい。この場合、搭乗者の端末と、車両制御装置１０の通信部１３又は車載装置４０の通信部４６とが、有線により接続された場合だけ、目的地を車両制御装置１０へ入力することが許容されるようにしてもよい。車両制御装置１０の記憶部１２には、端末を識別する端末識別情報が登録された端末識別情報表１２ｅが記憶されている。搭乗者の端末と、車両制御装置１０の通信部１３又は車載装置４０の通信部４６との間の通信は、端末から送信される端末識別情報が、端末識別情報表１２ｅに登録されている場合に許容される。
【０１０１】
このようにして、目的地が、第３者によってシステム１に入力されることが防止される。特に、有線により接続された場合だけ、目的地を車両制御装置１０へ入力することが許容されるようにすることにより、例えば、運転席に着座した搭乗者が車内で睡眠している間に、第３者が車外から目的地をシステム１に入力することは許容されないようになされている。
【０１０２】
次に、ステップＳ３１１において、運転モード決定部１１ａは、運転資格情報に基づいて、導出された目的地までの経路に対して、選択された運転モードを許可可能か否かについて判断する。
【０１０３】
図５は、ステップＳ３１１における運転モード決定部１１ａの処理を説明する図である。
【０１０４】
まず、ステップＳ５０１において、運転モード決定部１１ａは、搭乗者により選択された運転モードが、運転資格情報に基づいて許容されるか否かを判断する。
【０１０５】
例えば、運転資格情報として、普通自動車一種免許（マニュアル、限定なし）を有する搭乗者が、手動ＭＴ運転モードを選択した場合には、この選択は許容される（ステップＳ５０１においてＹｅｓの場合）。一方、運転資格情報として、普通自動車一種免許（オートマチック限定）を有する搭乗者が、手動ＭＴ運転モードを選択した場合には、この選択は許容されない（ステップＳ５０１においてＮｏの場合）。また、運転資格情報として、普通自動二輪免許を有する搭乗者が、速度及び経路選択自動運転モードを選択した場合には、この選択は許容される（ステップＳ５０１においてＹｅｓの場合）。一方、運転資格情報として、普通自動車一種免許（オートマチック限定）を有する搭乗者が、手動ＭＴ運転モード又は手動ＡＴ運転モードを選択した場合には、この選択は許容されない（ステップＳ５０１においてＮｏの場合）。更に、運転資格情報として運転資格を有さない搭乗者が、完全自動運転モードを選択した場合には、この選択は許容される（ステップＳ５０１においてＹｅｓの場合）。一方、運転資格情報として運転資格を有さない搭乗者が、手動ＭＴ運転モード、手動ＡＴ運転モード、又は速度及び経路選択自動運転モードを選択した場合には、この選択は許容されない（ステップＳ５０１においてＮｏの場合）。
【０１０６】
次に、ステップＳ５０３において、運転モード決定部１１ａは、選択された運転モードで目的地まで移動可能か否かを判断する（ステップＳ５０１においてＹｅｓの場合）。
【０１０７】
例えば、搭乗者に対して手動ＭＴ運転モード又は手動ＡＴ運転モードが許容されている場合には、運転モード決定部１１ａは、導出された経路を用いて移動可能であると判断する（ステップＳ５０３においてＹｅｓの場合）。経路が、自動運転による走行が許可されていない道路を含んでいるか、又は目的地が自動運転による走行が可能な道路に接続していなくても、手動運転による走行は可能であると考えられるためである。一方、速度及び経路選択自動運転モード又は完全自動運転モードが許容されていて、導出された経路が自動運転による走行が許可されていない道路を含んでいるか又は目的地が自動運転による走行が可能な道路に接続していない場合には、運転モード決定部１１ａは、選択された運転モードで目的地まで移動できないと判断する（ステップＳ５０３においてＮｏの場合）。このように、搭乗者の運転資格情報に基づいて、運転モードを決定すると共に、経路を決定することにより、経路上の道路を走行可能な運転モードに基づいた運転が確保される。具体的には、運転モードが速度及び経路選択自動運転モード又は完全自動運転モードの時には、運転資格情報に基づいて、目的地までの経路が決定される。
【０１０８】
ステップＳ５０５において、選択された運転モードを許可可能であると判断する（ステップＳ５０３においてＹｅｓの場合）。
【０１０９】
次に、ステップＳ３１３（図３参照）において、運転モード決定部１１ａは、搭乗者に対して、搭乗者により選択された運転モードを、車両を制御する運転モードとして決定する。運転モード決定部１１ａは、運転制御装置６０を、決定された運転モードで車両の動作を制御させる。
【０１１０】
一方、ステップＳ５０７において、運転モード決定部１１ａは、選択された運転モードを許可できないと判断する（ステップＳ５０１又はステップＳ５０３においてＮｏの場合）。
【０１１１】
次に、ステップＳ３１５において（ステップＳ３１１においてＮｏの場合）、運転モード決定部１１ａは、他の許可可能な運転モードの有無を判断する。
【０１１２】
例えば、ステップＳ３１１において、運転資格情報として普通自動車一種免許（マニュアル、限定なし）を有する搭乗者が、速度及び経路選択自動運転モード又は完全自動運転モードを選択しており、自動運転による走行が許容されない道路を含んだ目的地までの代替経路が導出されているとする。この場合には、運転モード決定部１１ａは、搭乗者に対して許可可能な運転モードとして、手動ＭＴ運転モード及び手動ＡＴ運転モードが有ると判断する（ステップＳ３１５においてＹｅｓの場合）。これは、手動ＭＴ運転モード及び手動ＡＴ運転モードを有する運転資格情報を有する搭乗者であれば、手動運転により代替経路を走行して、目的地まで安全に運転できると考えられからである。
【０１１３】
また、ステップＳ３１１において、運転資格情報として運転資格を有さない搭乗者が、速度及び経路選択自動運転モードを選択しており、自動運転による走行が可能な道路だけを経由した目的地までの経路が導出されているとする。この場合には、運転モード決定部１１ａは、搭乗者に対して許可可能な運転モードとして、完全自動運転モードが有ると判断する（ステップＳ３１５においてＹｅｓの場合）。運転資格を有さない搭乗者に対しては、目的地を入力する操作だけを許容して、車両の安全な走行が確保される。
【０１１４】
更に、ステップＳ３１１において、運転資格情報として運転資格を有さない搭乗者が、手動ＭＴ運転モード又は手動ＡＴ運転モードを選択しており、自動運転による走行が可能な道路だけを経由した目的地までの経路を導出できた場合には、運転モード決定部１１ａは、搭乗者に対して許可可能な運転モードとして、完全自動運転モードが有ると判断する（ステップＳ３１５においてＹｅｓの場合）。運転資格を有さない搭乗者に対しては、目的地を入力する操作だけを許容して、車両の安全な走行が確保される。
【０１１５】
一方、搭乗者が有する運転資格情報に対して許可可能な運転モードがない場合には、運転モード決定部１１ａは、他の許可可能な運転モードは無いと判断する（ステップＳ３１５においてＮｏの場合）。例えば、運転資格情報として運転資格を有さない搭乗者が、完全自動運転モードを選択しているが、自動運転による走行が可能な道路だけを経由した目的地までの経路を導出できない場合がある。
【０１１６】
ステップＳ３１７において、運転モード決定部１１ａは、搭乗者に対して、許可可能な運転モードを通知する（ステップＳ３１５においてＹｅｓの場合）。運転モード決定部１１ａは、例えば、車載装置４０の表示部４３に許可可能な運転モードを表示するか、又は、音響出力部４５を用いて許可可能な運転モードを音声出力する。
【０１１７】
次に、ステップＳ３１９において、運転モード決定部１１ａは、車載装置４０の操作部４４を用いて、搭乗者から許可可能な運転モードを入力する。なお、運転席に着座する搭乗者は、通知された許可可能な運転モードを選択しない場合には、操作部４４を用いて、許可可能な運転モードを選択しない操作を行う（ステップＳ３１９においてＮｏの場合）。
【０１１８】
次に、ステップＳ３２１において、運転モード決定部１１ａは、搭乗者に対して、搭乗者により入力された運転モードを、車両を制御する運転モードとして決定する。運転モード決定部１１ａは、運転制御装置６０を、決定された運転モードで車両の動作を制御させる。
【０１１９】
一方、ステップＳ３２３において、運転モード決定部１１ａは、車両を操作することが不可能であることを、搭乗者に通知する（ステップＳ３１５又はＳ３１９においてＮｏの場合）。運転モード決定部１１ａは、例えば、車載装置４０の表示部４３を用いて、車両を運転することが不可能であることを表示するか、又は、音響出力部４５を用いて、その旨を音声出力する。
【０１２０】
以上が、車両制御装置１０が運転モードを決定する動作の説明である。
【０１２１】
次に、車両が自動運転モードで走行中に、運転席に着座している搭乗者が、目的地を変更する場合の車両制御装置１０の処理を、図６を参照しながら、以下に説明する。
【０１２２】
まず、ステップＳ６０１では、車両が、速度及び経路選択自動運転モード又は完全自動運転モードにおいて走行している時に、運転席に着座している搭乗者は、車載装置４０の操作部４４を用いて、新たな目的地を入力する。車両で移動中の搭乗者は、何らかの理由により、目的地の変更を行う場合がある。車両制御装置１０の処理部１１の経路決定部１１ｂは、車載装置４０を介して、新たな目的地を入力する。
【０１２３】
次に、ステップＳ６０３において、経路決定部１１ｂは、車載装置４０を用いて、現時点の車両の位置から新たな目的地までの経路を、自動運転による走行が可能な道路だけを経由して導出することを試みる。経路決定部１１ｂは、自動運転による走行が可能な道路だけを経由した経路を導出できない場合には、経路を導出できないと判断する。
【０１２４】
次に、ステップＳ６０５において、経路決定部１１ｂは、新たな目的地には、自動運転で移動可能か否かを判断する。経路決定部１１ｂは、ステップＳ６０３において、自動運転による走行が可能な道路だけを経由した経路を導出できた場合には、新たな目的地に自動運転で移動可能であると判断する（ステップＳ６０５においてＹｅｓの場合）。一方、そうでない場合には、経路決定部１１ｂは、新たな目的地に自動運転で移動できないと判断する（ステップＳ６０５においてＮｏの場合）。
【０１２５】
次に、ステップＳ６０７において、経路決定部１１ｂは、経路の目的地を、新たな目的地に変更する。
【０１２６】
次に、ステップＳ６０９において、経路決定部１１ｂは、新たな目的地を受け付けたことを、車載装置４０の表示部４３又は音響出力部４５を用いて、搭乗者に通知する。
【０１２７】
一方、ステップＳ６１１において、経路決定部１１ｂは、新たな目的地を受け付けないことを、車載装置４０の表示部４３又は音響出力部４５を用いて、搭乗者に通知する（ステップＳ６０５においてＮｏの場合）。
【０１２８】
次に、ステップＳ６１２において、経路決定部１１ｂは、車両を安全な場所に駐車して、運転席に着座している搭乗者に対して、車載装置４０の表示部４３又は音響出力部４５を用いて、他の目的地を入力するように搭乗者に通知する。経路決定部１１ｂは、車載装置４０の操作部４４を用いて、運転席に着座した搭乗者が希望する他の目的地を入力する。そして、ステップＳ６０３の前に戻る。ここで、安全な場所として、車載装置４０の記憶部５２に記憶されている地図データに登録されており、現在の目的地への経路と接続している駐車場、駐車場を有する店舗等の施設、又は現在の目的地の周辺に位置する駐車場等が挙げられる。
【０１２９】
以上が、車両が自動運転モードで走行中に、運転席に着座している搭乗者が、目的地を変更する場合の車両制御装置１０の処理の説明である。
【０１３０】
次に、車両が手動運転モードで走行中に、運転席に着座している搭乗者が、自動運転モードに変更する場合の車両制御装置１０の処理を、図７を参照しながら、以下に説明する。
【０１３１】
まず、ステップＳ７０１では、手動ＭＴ運転モード又は手動ＡＴ運転モードにおいて走行している車両において、運転席に着座している搭乗者は、車載装置４０の操作部４４を用いて、表示部４３に表示されている目的地設定ボタン（図示せず）を操作する。
【０１３２】
次に、ステップＳ７０３において、車両制御装置１０の処理部１１の運転モード決定部１１ａは、目的地設定ボタンが操作された操作情報を入力すると、車両の運転モードを、完全自動運転モードに切り替える。
【０１３３】
次に、ステップＳ７０５において、経路決定部１１ｂは、目的地が設定されているか否かを判断する。手動ＭＴ運転モード又は手動ＡＴ運転モードにおいて、車載装置４０に対して目的地が設定されていた場合には、経路決定部１１ｂは、目的地が設定されていると判断する（ステップＳ７０５においてＹｅｓの場合）。一方、手動ＭＴ運転モード又は手動ＡＴ運転モードにおいて、車載装置４０に対して目的地が設定されていなかった場合には、経路決定部１１ｂは、目的地は設定されていないと判断する（ステップＳ７０５においてＮｏの場合）。経路決定部１１ｂは、目的地は設定されていないと判断した場合、仮の目的地として、上述した安全な場所を設定した上で、下記の処理を行ってもよい。
【０１３４】
次に、ステップＳ７０７において、経路決定部１１ｂは、車載装置４０を用いて、現時点の車両の位置から目的地までの経路を、自動運転による走行が可能な道路だけを経由して導出することを試みる（ステップＳ７０５においてＹｅｓの場合）。経路決定部１１ｂは、自動運転による走行が可能な道路だけを経由した経路を導出できない場合には、経路を導出できないと判断する。
【０１３５】
次に、ステップＳ７０９において、経路決定部１１ｂは、現在の目的地には、自動運転で移動可能か否かを判断する。経路決定部１１ｂは、ステップＳ７０７において自動運転による走行が可能な道路だけを経由した経路を導出できた場合には、現在の目的地に自動運転で移動可能であると判断する（ステップＳ７０９においてＹｅｓの場合）。一方、そうでない場合には、経路決定部１１ｂは、現在の目的地に自動運転で移動できないと判断する（ステップＳ７０９においてＮｏの場合）。
【０１３６】
次に、ステップＳ７１１において、運転モード決定部１１ａは、運転制御装置６０を用いて、自動運転モードで車両の動作を制御させて、車両を目的地まで走行させる。
【０１３７】
一方、ステップＳ７１３において（ステップＳ７０５又はＳ７０９においてＮｏの場合）、経路決定部１１ｂは、車両を安全な場所に駐車して、運転席に着座している搭乗者に対して、車載装置４０の表示部４３又は音響出力部４５を用いて、目的地を入力するように搭乗者に通知する。経路決定部１１ｂは、車載装置４０の操作部４４を用いて、運転席に着座した搭乗者が希望する目的地を入力する。そして、ステップＳ７０７の前に戻る。
【０１３８】
以上が、車両が手動運転モードで走行中に、運転席に着座している搭乗者が、自動運転モードに変更する場合の車両制御装置１０の動作の説明である。
【０１３９】
上述した本実施形態のシステム１によれば、搭乗者が有する運転資格情報に基づいて、自動運転モードを有する車両の操作が許容される操作範囲が自動的に決定される。従って、搭乗者の運転資格情報に基づいて、車両が安全に運転されるようになされている。
【０１４０】
また、システム１によれば、手動運転モードでは、運転席に着座する搭乗者の運転資格情報に基づいて、車両を操作する操作範囲が自動的に決定されるので、搭乗者の技能に対応する範囲で安全な車両の走行が確保される。
【０１４１】
更に、システム１によれば、運転資格情報として、車両の運転資格を有さない搭乗者に対しては、目的地を入力する操作以外の操作が許容されないので、搭乗者の手動操作を防止して、自動運転モードによる車両の走行を確保できる。
【０１４２】
本発明では、上述した実施形態の車両制御システム、車両制御装置及び車両制御方法は、本発明の趣旨を逸脱しない限り適宜変更が可能である。
【０１４３】
例えば、上述した実施形態では、経路の導出は、車両制御装置１０により制御されて車載装置４０が行っていたが、経路の導出は、車両制御装置１０が行ってもよい。
【０１４４】
また、車両制御装置１０の処理部１１の運転モード決定部１１ａは、指紋センサ３３から送信された画像が、事前に登録されている指紋の画像と一致する場合には、搭乗者に対して、事前に登録されている自動運転情報（時間帯及び経路等）に基づいた自動運転を行う自動運転モードを許容するようにしてもよい。記憶部１２は、搭乗者情報として、事前に登録されている指紋の画像と関連付けられた運転資格情報に対して、自動運転情報（時間帯及び経路等）を有する完全自動運転モードが登録されている。この完全自動運転モードでは、事前に定められた時間帯において、事前に定められた経路を移動するように、車両が制御される。このような設定は、例えば、朝夕の子供の学校への送迎に車両を利用する場合に利用することができる。
【０１４５】
なお、免許の種別や運転資格は、今後の交通ルールの改正等により変動する可能性がある。たとえば、運転操作は出来なくても交通ルール等に一定の知識が要求される「自動運転免許」が創設されるかもしれず、そのような場合、完全自動運転であっても何等かの運転資格者が乗車していないと、走行が許容されなくなる可能性もある。したがって、変形例に係る車両制御装置１０はそうした交通ルール改正等に対応できるよう、記憶部１２に記憶されている免許証情報参照表１２ｂを更新することができる。具体的には改正により追加や変更になった免許の種別・運転資格情報を、図示しない入力部を使ってユーザが入力できるようにしたり、図示しない読み取り部によって情報媒体（ＣＤ−ＲＯＭ、ＵＳＢメモリ等）から読み込んでもよいし、図示しない無線通信部によって車両外部のサーバから取得してもよい。このようにすることによって、将来的に交通ルール等が変わっても、搭乗者が有する運転資格情報に基づいて、自動運転モードを有する車両の操作が許容される操作範囲を適切に決定できる。
【符号の説明】
【０１４６】
１    車両制御システム
１０    車両制御装置
１１    処理部
１２    記憶部
１３    通信部
２０    運転席着座情報取得部
２１    運転席荷重センサ
２２    シートベルト装着センサ
２３    カメラ
３０    搭乗者情報取得部
３１    運転免許証リーダ
３２    カメラ
３３    指紋センサ
４０    車載装置
４１    処理部
４２    記憶部
４３    表示部
４４    操作部
４５    音響出力部
４６    通信部
５０    ＧＰＳ情報受信部
６０    運転制御装置
６１    自動運転制御部
６２    手動運転制御部
７０    車両状態センサ
７１    操舵装置
７２    駆動装置
７３    制動装置
【図１】
2018124864.tif 000003
【図２】
2018124864.tif 000004
【図３】
2018124864.tif 000005
【図４】
2018124864.tif 000006
【図５】
2018124864.tif 000007
【図６】
2018124864.tif 000008
【図７】
2018124864.tif 000009